(57)【要約】  本発明は、超音波器具のためのチタン製の超音波先端具（２２）を提供するとともに、治療されるべき歯科用のインプラント（４２）の表面に超音波振動を伝えるための超音波器具と協働して操作可能な超音波先端具を用い、インプラント及び超音波先端具がチタンでできている、インプラント周囲炎の歯科的な治療方法をさらに提供する。【選択図】図４
2017532175.tif 000002
【特許請求の範囲】
【請求項１】
治療されるべき歯科用のインプラントの表面に超音波振動を伝える超音波器具と協働して操作可能な超音波先端具を用いてインプラント周囲炎を歯科的に治療する方法であって、前記インプラント及び前記超音波先端具がチタン製である方法。
【請求項２】
前記超音波先端具は、ISO 5832-2及びASTM F-67という規格に従ったgrade 4のタイプでできている、請求項１に記載の方法。
【請求項３】
前記インプラントの表面は、複数のねじ山を備えたねじ領域を含み、前記超音波先端具の遠位端は、前記ねじ領域における各対の前記ねじ山の間の溝領域の輪郭に適合するように形作られている、請求項１又は２に記載の方法。
【請求項４】
前記超音波先端具の構造的仕様は、前記超音波先端具が前記超音波器具の動作周波数の範囲に収まる特定の共振周波数を有するように調整されている、請求項１〜３のいずれか１項に記載の方法。
【請求項５】
３０ｋＨｚから３４ｋＨｚの間にある前記特定の共振周波数で前記インプラントの表面に超音波振動が伝わる、請求項４に記載の方法。
【請求項６】
歯科用のインプラントのインプラント周囲炎の歯科的な治療に用いるために特定の超音波周波数で振動する超音波器具と協働して操作可能であるチタン製の超音波先端具。
【請求項７】
ISO 5832-2及びASTM F-67という規格に従ったgrade 4のタイプのチタンでできている、請求項６に記載の超音波先端具。
【請求項８】
前記超音波先端具の遠位端は、先の尖った形状、半球形状、及び湾曲形状のいずれか１つを有するように形成されている、請求項６又は７に記載の超音波先端具。
【請求項９】
インプラント周囲炎の治療のための超音波システムであって、
請求項６〜８のいずれか１項に記載の超音波先端具と、
超音波器具であって、前記超音波先端具が当該超音波器具に機械的につながっているときに前記超音波先端具に超音波振動を伝えることができる超音波器具と、を備えた
超音波システム。
【請求項１０】
前記超音波器具につなげられ、前記超音波先端具の超音波振動を発生させるように２０ｋＨｚから４０ｋＨｚの範囲内の超音波駆動信号を前記超音波器具に供給する超音波発生器をさらに備えた、請求項９に記載の超音波システム。
【発明の詳細な説明】
【技術分野】
【０００１】
本発明は、超音波歯科用器具に関する。より具体的に、本発明はそのような器具のための超音波先端具を提供する。
【０００２】
本発明は、特に、歯科用のインプラントの歯周の治療に適用される。
【０００３】
近年、歯科用のインプラントを用いた治療の急速な増加により、インプラント周囲の疾患の発生が増加していることが世界中で報告されている。インプラント周囲炎において、支持骨とのオッセオインテグレーションを失った歯科用のインプラントの固定具の露出した表面が細菌によるバイオフィルム及び／又はミネラル化した付着物によって汚染されている。
【０００４】
インプラント周囲炎を治療するために、歯科用のインプラントの固定具の汚染された露出した表面に対し汚染除去を行う必要がある。超音波技術は、インプラント周囲の疾患の治療のための効果的な方法として報告されている。
【０００５】
この技術分野において通常の知識を有する者に知られている通り、今日では、ほとんどの歯科用のインプラントはチタン製である。しかしながら、チタン製のインプラントの表面における異なる電位の複数のエレメントにより、固定具の腐食が生じる可能性があり、チタン製のインプラントの微細構造を有する表面のデブリードマンのための超音波先端具の最適な材料についてはまだ適切な評価がなされていない。
【０００６】
加えて、インプラント周囲炎の治療のための現存の超音波器具は満足のいくものではない。
【発明の概要】
【発明が解決しようとする課題】
【０００７】
したがって、インプラント周囲炎の治療のためのインプラントのデブリードマンを安全かつ十分に行うことができる超音波システムに対する強い要求がある。特に、超音波器具に取り付けたときに、病菌に汚染された歯科用のインプラントの治療に最適な結果をもたらす超音波先端具に対する要求がある。
【課題を解決するための手段】
【０００８】
本発明は、治療されるべき歯科用のインプラントの表面に超音波振動を伝える超音波器具と協働して操作可能な超音波先端具を用いてインプラント周囲炎を歯科的に治療する方法であって、前記インプラント及び前記超音波先端具がチタン製である方法を提供する。
【０００９】
本発明の方法は、インプラント周囲炎の歯科的な治療、及び、このような治療の後のインプラントの表面のメンテナンスのために、ほとんどのインプラントの安全かつ十分なデブリードマンを保証する。
【００１０】
市場におけるほとんどの歯科用のインプラントと同じように、純チタンで作製された本発明の先端具は、インプラントにおける物質の移動を有利に防止でき、これにより、細菌による再度の汚染の危険を回避できる。
【００１１】
特定の実施形態において、前記超音波先端具は、ISO 5832-2及びASTM F-67という規格に従ったgrade 4のタイプでできている。
【００１２】
特定の実施形態において、前記インプラントの表面は、複数のねじ山を備えたねじ領域を含み、前記超音波先端具の遠位端は、前記ねじ領域における各対の前記ねじ山の間の溝領域の輪郭に適合するように形作られている。
【００１３】
特定の実施形態において、前記超音波先端具の構造的仕様は、前記超音波先端具が前記超音波器具の動作周波数の範囲に収まる特定の共振周波数を有するように調整されている。
【００１４】
特定の実施形態において、３０ｋＨｚから３４ｋＨｚの間にある前記特定の共振周波数で前記インプラントの表面に超音波振動が伝わる。
【００１５】
また、本発明は、歯科用のインプラントのインプラント周囲炎の歯科的な治療に用いるために特定の超音波周波数で振動する超音波器具と協働して操作可能である、チタン製の超音波先端具を提供する。
【００１６】
特定の実施形態において、前記超音波先端具は、ISO 5832-2及びASTM F-67という規格に従ったgrade 4のタイプのチタンでできている。
【００１７】
特定の実施形態において、前記超音波先端具の遠位端は、先の尖った形状、半球形状、及び湾曲形状のいずれか１つを有するように形成されている。
【００１８】
また、本発明は、インプラント周囲炎の治療のための超音波システムであって、
上記の超音波先端具と、
超音波器具であって、前記超音波先端具が当該超音波器具に機械的につながっているときに前記超音波先端具に超音波振動を伝えることができる超音波器具と、を備えた、
超音波システムを提供する。
【００１９】
特定の実施形態において、前記超音波システムは、前記超音波器具につなげられ、前記超音波先端具の超音波振動を発生させるように超音波駆動信号を前記超音波器具に供給する超音波発生器をさらに備えている。
【００２０】
好ましい実施形態及び利点を含んでいる本発明について、例えば添付の図面を参照しつつ、以下に詳細に説明する。
【図面の簡単な説明】
【００２１】
【図１Ａ】図１Ａは、天然歯を示す断面図である。
【図１Ｂ】図１Ｂは、歯科用のインプラントを示す断面図である。
【図２】図２は、本発明の特定の実施形態に係る超音波システムの図である。
【図３】図３は、本発明の特定の実施形態に係る、超音波器具のハンドピースの一部の縦断面図である。
【図４】図４は、本発明の特定の実施形態に係る、超音波先端具を用いたインプラント周囲炎の治療を示す。
【図５Ａ】図５Ａは、本発明に係る超音波先端具の典型的な実施形態を示す。
【図５Ｂ】図５Ｂは、本発明に係る超音波先端具の典型的な実施形態を示す。
【図６Ａ】図６Ａは、特定の実施形態に係る超音波先端具の構成を示す。
【図６Ｂ】図６Ｂは、特定の実施形態に係る超音波先端具の構成を示す。
【図７】図７は、別の特定の実施形態に係る超音波先端具の具体例を示す。
【図８】図８は、特定の実施形態に係る超音波先端具の遠位端の様々な配置を示す。
【図９】図９は、特定の実施形態に係る超音波先端具の遠位端の様々な配置を示す。
【図１０】図１０は、特定の実施形態に係る超音波先端具の遠位端の様々な配置を示す。
【発明を実施するための形態】
【００２２】
本発明は異なった多くの形式の実施形態で実施されうるが、具体的な実施形態が図面に示され、かつ、以下に詳細に説明される。この具体的な実施形態は、本開示が、本発明の原理の例証とみなされるべきものであり、示された具体的な実施形態に本発明を制限する意図でなされたものではないという条件を伴っている。
【００２３】
下記に説明された実施形態の理解を促すために多くの細部が説明される。典型的な実施形態はこのような細部を有することなく実施されてもよい。他の例において、良く知られた方法、手順、及び構成要素は、説明された実施形態が不明瞭になることを避けるために、詳細には説明されていない。
【００２４】
分かりやすい明確な説明の観点から、対応する又は類似の構成要素を示すために、複数の図面において参照符号が繰り返されることがある。
【００２５】
図１Ａ及び図１Ｂは、それぞれ、天然歯及び歯科用のインプラントを模式的に示す。図１Ａに示す通り、生来、歯周組織は、骨を歯根の表面にくっつけており、緩衝装置のようにふるまう。歯肉組織は、歯根の表面に付着しており、下に横たわっている骨を保護している。
【００２６】
図１Ｂに示す通り、ほとんどの歯科用のインプラントの材料であるチタンがあご骨と一体化しており、インプラントに優れた強度と安定性がもたらされている。より詳細に、周囲のあご骨へのインプラントの取り付け性を向上させるために、インプラントの基部に存在する複数のねじ山が設計されている。
【００２７】
しかし、歯肉組織は、歯根にくっついているのと同じ様にはインプラントにくっつくことはできず、歯肉組織及びインプラントは、代わりに吸着タイプのメカニズムによって密にくっついている。
【００２８】
歯科用のインプラントは、通常隙間及び空洞を（特に、各ねじ山同士の間に）有し、この隙間及び空洞に口腔から細菌が侵入できる。細菌感染によりインプラントを取り囲む硬軟な歯周組織に炎症がある場合、下に横たわっているあご骨が縦方向及び／又は横方向に変性する傾向がある。インプラント周囲炎は、このような破壊的な炎症を起こすプロセスであり、細菌に汚染された歯科用のインプラントの周りの硬軟な組織に影響を及ぼす。疾患のあるインプラント（インプラント周囲炎に罹患したインプラント）の周囲に見られる多数の歯周の病原菌は、様々な形態の歯周病に関連して見られる病原菌にとても似ている。
【００２９】
歯科用のインプラントの周りで支持骨及び柔らかい組織が回復し再生できるように、細菌に汚染されたインプラントの表面を清潔にして（細菌によるバイオフィルム及び／又はミネラル化した付着物などの除去）、炎症を抑えるために、適切な治療が必要である。
【００３０】
インプラント周囲の疾患の治療のために、この分野において、化学療法の使用が知られているとともに、機械的なデブリードマンが（単独で又は組み合わせて）とてもよく用いられる。
【００３１】
特に、超音波による歯科用のクリーニング及びスケーリングを行う器具は、口腔の衛生状態を増進するのに有用であると長期にわたって認識されており、最近ではインプラント歯周炎の治療にも有用であると認識されるようになっている。
【００３２】
既知の超音波システムは、ハンドピース（「超音波器具」ともいう）を含んでいる。典型的には、ハンドピースのハウジングの中に、コントロールユニット（すなわち、超音波発生器）から生じた（例えば、２５ＫＨｚ又は３０ＫＨｚの）超音波駆動信号に応じて超音波振動を発生させるための圧電変換器（又は磁わい装置）が備わっている。ハンドピースの遠位端は、適切な超音波先端具を取り付けることができるように、好ましくは取り外すことができるように構成されている。
【００３３】
ハンドピースの遠位端は、超音波先端具に超音波振動を伝えるように設計されている。ハンドピースの中の内部流路から超音波先端具に流体（多くは水）が供給されてもよい。操作時には、特定の周波数で超音波先端具の末端が超音波振動し、治療されるべき歯の表面、組織、又はインプラントの表面の付近にハンドピースから超音波挿入具に供給された流体を送ることができる。
【００３４】
本発明に係る先端具の一例を用いた超音波システムの特定の実施形態を図２〜図４及び図５Ａ及び図５Ｂを参照しつつ以下により詳細に説明する。
【００３５】
出願人は、様々なタイプの従来の超音波先端具を用いた超音波器具によって、チタン製の歯科用の骨内インプラントの微細構造を有する表面において特に誘発される形態上の変化及び自然な変化を徹底的に評価した。
【００３６】
インプラント周囲の疾患を治療するための、より一般的には歯科用のインプラントの汚染された表面を治療するための超音波器具とともに使用される先端具は、初期にはステンレス鋼製であったが、最近ではプラスチックアロイ（例えば、Peek（登録商標））製又は銅合金製である。インプラント周囲の疾患の治療以外のためのものではあるが、カーボン製の先端具も知られている。しかしながら、以下に説明する通り、これらの従来の先端具に伴う重要な欠点が出願人に認められた。
【００３７】
ステンレス製の従来の先端具が取り付けられた超音波器具を用いたチタン製の歯科用のインプラントにデブリードマンを実施した。テストは、例えば、カーボン製の超音波先端具を取り付けても実施した。立体顕微鏡及び走査型電子顕微鏡（ＳＥＭ）を用いてデブリードマンの後にインプラントの表面（特に、その表面に形成されたねじ山）における形態上の変化を観察した。微小なひび割れの形成又は他の表面の劣化を伴う深刻な形態上の変化がテストを行ったインプラントの多くで観察された。従来の先端具を用いたデブリードマンの後では、インプラントの表面（ねじ山）において異質な成分も検出された。特に、インプラントのデブリードマンのためにカーボン製の先端具を用いた場合に、驚くほどの量のカーボン成分が確認された。
【００３８】
インプラントのデブリードマンの後に微小なひび割れ等があることは望ましくない。加えて、インプラントの表面が異質な成分（例えば、カーボン）で汚染されている結果生じる潜在的でネガティブな影響については現在のところ十分に理解されていない。
【００３９】
それゆえ、本発明は、インプラント周囲炎の治療により良い結果をもたらす超音波器具のための超音波先端具を提供し、特に、インプラントの表面における機械的損傷の発生を防止し、かつ、上記で説明したような異質な成分が存在することを防止する。
【００４０】
本発明によれば、超音波器具のための超音波先端具は、合金化されていないチタン（すなわち、純チタン）でできており、好ましくは、ISO 5832-2及びASTM F-67という規格に定義された「grade 4」のタイプのチタン（以降において、簡単のために、時折単に「grade 4」と表す）でできている。ASTM B 348という規格も参照されるべきである。
【００４１】
（望ましくはgrade 4である）純チタンの先端具は、インプラント表面を治療するための、特に、インプラント周囲炎を治療及び補修するための超音波器具に有利に装着できる。
【００４２】
本発明の典型的な実施形態を図２〜図１０を参照しつつ説明する。
【００４３】
図２は、例えば２０〜４０ｋＨｚの範囲にある超音波信号を提供するための従来型のコントロールユニット（超音波発生器ともいう）１２を含む超音波システム１０を示す。特定の実施形態において、コントロールユニット１２が動作できる動作周波数の範囲は、２８〜３６ｋＨｚである。
【００４４】
ケーブル１４は、治療されるべきインプラントの表面にかけられる流体（例えば、水又はある種の流体状の抗生物質）を供給するための流路に加えて、コントロールユニット１２によって生成された電気信号のための導線を含む。
【００４５】
ケーブル１４は、コントロールユニット１２を、スケーリングシステム１０のハンドピース（「超音波器具」ともいう）１６につないでいる。
【００４６】
図３は、ハンドピース１６の一部の内部構造を長軸に沿って模式的に示す断面図である。
【００４７】
ハンドピース１６はハウジング１８を備え、その内部には圧電変換器２０が従来のように配置されている。
【００４８】
ハンドピース１６の遠位端１６ｂには、超音波先端具２２がつなげられている。先端具２２の基部（すなわち、近位端）２２ａは、例えば、本技術分野において通常の知識を有する者も知っている従来のロック機構２４によって、ハンドピース１６の遠位端１６ｂと取り外し可能に係合するように設計されている。
【００４９】
超音波先端具２２は、交換及び消毒の目的などのためにハンドピース１６の遠位端から取り外すことができる。
【００５０】
圧電変換器２０は、例えば、平衡錘部２６と増幅器部２８との間に位置している。圧電変換器２０は、コントロールユニット１２からの電気信号によって圧電変換器２０を電気的に起動できるように、セラミック製の複数の圧電性円盤３０をそれらの間に配置された電気接点３２とともに備えている。複数の圧電性円盤３０のスタックは、増幅器部２８及び平衡錘部２６によって互いに反対の端で物理的に拘束されている。
【００５１】
この特定の例において、増幅器部２８及び平衡錘部２６は、軸線方向プレストレスロッド３４によってともに接続されており、このロッド自体は、ハンドピース１６の遠位端１６ｂに向かって流体を運ぶための中心流路３６を有する。
【００５２】
本技術分野においてよく知られている通り、圧電変換器１６は、コントロールユニット１２によって電気接点３２に供給される電力により超音波振動を発生させるのに適している。これにより、変換器１６の遠位端１６ｂに機械的につながっている超音波先端具２２に振動性の運動がもたらされる。超音波先端具２２にもたらされる振動の大きさは、コントロールユニット１２によって送られる電力の関数である。
【００５３】
本発明の趣旨及び目的に反しなければ、様々な異なる実施形態の超音波器具がこの超音波先端具とともに使用されてもよいことが理解される。とりわけ、本技術分野においてよく知られた磁わいシステムを代わりに用いて、ハンドピースのハウジングの内部において超音波振動を発生させることができる。
【００５４】
本発明の超音波先端具は、インプラント周囲炎の歯科的な治療のために、ほとんどのインプラントの安全かつ十分なデブリードマンを保証する。
【００５５】
本発明の先端具は、市場におけるほとんどの歯科用のインプラントと同様に純チタンで設計されているので、インプラントにおける物質の移動及びその表面の変質を有利に防止できる。これにより、細菌による再度の汚染の危険を回避できる。
【００５６】
本発明の超音波先端具は、インプラント周囲炎の外科的及び／又は非外科的な治療及び補修に用いることができる。特定の状況において、治療すべきインプラントの表面に到達するために歯肉組織を外科的に切る必要はない。超音波先端具は、関心のある領域にデブリードマンを施すために、到達可能なインプラントの表面に直接接触させてもよい。特定の場合において、患者にとって侵襲的でないという意味合いで、治療は非外科的な治療と呼ばれる。
【００５７】
一方、関心のあるインプラントの表面に到達するために歯科施術者が歯肉組織を外科的に切る必要が時々ある。この場合、患者にとって侵襲的であるという意味合いで、治療は外科的な治療と呼ばれる。
【００５８】
本発明の様々な先端具の有効性が顕微鏡観察によって確認された。
【００５９】
このように、本発明は、歯科用のインプラントにおいてインプラント周囲炎の歯科的な治療に用いるための超音波器具と協働して操作される、上記の超音波先端具を提供する。
【００６０】
また、本発明は、上記の超音波先端具、より詳細には先に説明された実施形態の超音波器具と協働して操作する超音波先端具を用いた、インプラント周囲炎の歯科的な治療を提供する。
【００６１】
本発明の特定の側面において、超音波先端具はチタン製であり、好ましくは（ISO 5832-2及びASTM F-67という規格に従った）grade 4のタイプのチタン製であり、治療は、チタン製のインプラントの表面の汚染された表面を治療するためのものである。
【００６２】
本発明の特定の側面において、歯科的な治療は、超音波器具から超音波先端具に超音波振動を与え、デブリードマンのために超音波先端具をインプラントの表面に物理的に接触させることを含む。
【００６３】
図４は、歯科用のインプラント４２の表面のスケーラーの先端具２２を用いたインプラント周囲炎の治療を示す。
【００６４】
インプラントをクリーニングするときに最適な結果を得るために、本発明の超音波先端具の形状及び寸法が適切に選ばれるべきである。超音波先端具の実用上の端（すなわち、遠位端）２２ｂは、様々な形状及びサイズを取りうる。異なる径を有する先端具の複数の末端を使用することにより、ねじ山４４の幅がどんなものであっても、インプラントの表面における（各対のねじ山４４の間に形成された溝領域４６における）ねじ山４４の底にデブリードマンを施しうる。
【００６５】
特定の実施形態において、超音波先端具は、１つの細長い部材又は互いに接続された複数の細長い部分を含む。
【００６６】
特定の実施形態において、関心のあるインプラント表面は、複数のねじ山を備えたねじ領域を含み、超音波先端具の遠位端２２ｂは、ねじ領域において各対のねじ山の間の溝領域の輪郭に適合するように形作られている。
【００６７】
特定の実施形態において、超音波先端具の遠位端は、先の尖った形状、半球形状、及び湾曲形状のいずれか１つを有するように形成されている。
【００６８】
図８、図９、及び図１０は、本発明の特定の実施形態に係る超音波先端具の遠位端の異なる構造を示す。
【００６９】
より具体的に、図８は、特定の実施形態に係る超音波先端具６０を示し、超音波先端具６０の遠位端６０ｂは、（例えば、基部の径Ｄ４＝０．３ｍｍ及び高さＬ４＝１ｍｍの円錐部によって形成された）先の尖った形状を有する。この特定の形状により、かなり狭いねじ山間の隙間の内部に容易に届く。
【００７０】
図９は、別の実施形態に係る超音波先端具６５を示し、その遠位端６５は直径Ｄ５＝０．３ｍｍの半球形状を有する。
【００７１】
図１０は、さらに別の実施形態に係る超音波先端具７０を示し、その遠位端７０ｂには互いに反対向きで距離Ｌ６＝０.６ｍｍだけ離れた２つの平坦な表面と、図１０に定義された直径Ｄ６がＤ６＝０．６ｍｍである丸みを帯びた形状とが現れている。
【００７２】
特定の実施形態において、超音波先端具２２は、全体的な汚染除去のために、インプラントの周囲への到達及び通過を容易にするための適切な湾曲形状に形作られている。
【００７３】
例えば、図５Ａに示す右向きの先端具に似た形状を有する先端具は、中程度のねじ山のインプラントのデブリードマンに特に適している。
【００７４】
図５Ｂに示す左向きであって先の尖った先端具に似た形状を有する先端具は、狭いねじ山のインプラントのデブリードマンに特に適している。
【００７５】
もちろん、本発明の目的及び趣旨の範囲内において、他の多くの形状が検討されてもよい。
【００７６】
チタンは比較的伸縮性を有する材料であり、チタンは超音波先端具を形成するための直観的な候補には挙がらない。比較の意味で述べると、チタン製の超音波洗浄具及びステンレス鋼製の超音波洗浄具の弾性率（ヤング率）は、それぞれ、１１４ＧＰａ及び２０３ＧＰａである。（同一の接触表面に関し）伸縮性がある材料ほど、治療されるべきインプラントに超音波振動を伝えるための超音波先端具の遠位端に向かなくなる。
【００７７】
さらに、同一の幾何学的な仕様において、チタン製の超音波先端具はステンレス鋼製の超音波先端具の共振周波数よりも高い共振周波数を有する。
【００７８】
特定の実施形態において、超音波先端具の構造的（又は幾何学的）な仕様は、超音波先端具が超音波器具の動作周波数の範囲に収まる特定の共振周波数を有するように調整されている。この特定の共振周波数は、例えば３０ｋＨｚから３４ｋＨｚの間にあり、超音波先端具はその共振周波数で振動し、その振動はインプラントの表面に伝わる。
【００７９】
図６Ａ及び図６Ｂは、本発明に係る典型的な実施形態である超音波先端具５０を示し、その先端具の共振周波数は３３から３４ｋＨｚの範囲にある。特定の実施形態において、超音波先端具は、その先端具の近位端から遠位端に向かって互いに接続された３つの連続的な部分によって形成されている。例えば、図６Ａに示す通り、典型的な超音波先端具５０は、
超音波器具１６のロック機構２４に機械的につながるように構成された連結部Ｐ１と、
超音波先端具５０の遠位端５０ｂに配置された作用部Ｐ３であって、治療されるべき領域に接触してその領域に超音波振動を伝えるように設計されている作用部Ｐ３と、
連結部Ｐ１と作用部Ｐ３とを接続している中間部である移行部Ｐ２と、を備えている。
【００８０】
本開示のチタン製の超音波先端具が治療において最適な条件で歯科的な表面に超音波振動を伝えることを保証するために、特定寸法の仕様が出願人によって決定されている。
【００８１】
図６Ａ及び図６Ｂにおける超音波先端具５０の実施形態の例を考慮すると、移行部Ｐ２及び作用部Ｐ３によって形成された超音波先端具の一部は、基部の直径Ｄ１が２ｍｍから２．５ｍｍの間（例えば、Ｄ１＝２．４ｍｍ）であり、遠位端５０ｂにおける直径Ｄ２が０．２ｍｍから０．８ｍｍの間（例えば、Ｄ２＝０．３ｍｍ）である、円錐（又は円錐台）の形状を有する。
【００８２】
特定の実施形態において、本発明の超音波先端具は、先端具の移行部及び／又は作用部に形成された複数の湾曲部を備える。特定の実施形態において、超音波先端具は、例えば、図６Ｂに示す通り、２つの湾曲部Ｂ１及びＢ２を含む。
【００８３】
また、図６Ｂに示す通り、超音波先端具の作用部Ｐ３は１つの湾曲部によって形成できる。
【００８４】
図６Ｂの実施形態において、湾曲部Ｂ１及び湾曲部Ｂ２は以下の通り設計されている。
湾曲部Ｂ１：半径Ｒ１が２から４ｍｍの間であり、傾斜角度α１が１２０°から１３０°の間である。
湾曲部Ｂ２：半径Ｒ２が４から６ｍｍの間である。
【００８５】
図７に示す別の実施形態において、超音波先端具５５の主要部分の全体は同一平面において延びている。超音波先端具５５は、近位端５５ａから遠位端５５ｂにかけて注目すべき連続した３つの湾曲部Ｂ３、Ｂ４、及びＢ５を含む。
【００８６】
図７の実施形態において、湾曲部Ｂ３、湾曲部Ｂ４、及び湾曲部Ｂ５は以下の通り設計されている。
湾曲部Ｂ３：半径Ｒ３が２から４ｍｍの間であり、傾斜角度α３が１３５°から１４０°の間である。
湾曲部Ｂ４：半径Ｒ４が３から４ｍｍの間であり、傾斜角度α４が１３５°から１４０°の間である。
湾曲部Ｂ５：半径Ｒ５が４から６ｍｍの間である。
【００８７】
本開示の超音波先端具は、そのほとんどがチタンでできている歯科用のインプラントの予防ケア及び歯周ケアに利用するのに特に適切である。
【図１Ａ】
2017532175.tif 000003
【図１Ｂ】
2017532175.tif 000004
【図２】
2017532175.tif 000005
【図３】
2017532175.tif 000006
【図４】
2017532175.tif 000007
【図５Ａ】
2017532175.tif 000008
【図５Ｂ】
2017532175.tif 000009
【図６Ａ】
2017532175.tif 000010
【図６Ｂ】
2017532175.tif 000011
【図７】
2017532175.tif 000012
【図８】
2017532175.tif 000013
【図９】
2017532175.tif 000014
【図１０】
2017532175.tif 000015
【手続補正書】
【提出日】平成29年5月30日(2017.5.30)
【手続補正２】
【補正対象書類名】特許請求の範囲
【補正対象項目名】全文
【補正方法】変更
【補正の内容】
【特許請求の範囲】
【請求項１】
歯科用のインプラントのインプラント周囲炎の歯科的な治療に用いるために特定の超音波周波数で振動する超音波器具と協働して操作可能である、純チタンでできている超音波先端具。
【請求項２】
ISO 5832-2及びASTM F-67という規格に従ったgrade 4のタイプのチタンでできている、請求項１に記載の超音波先端具。
【請求項３】
前記超音波先端具の遠位端は、先の尖った形状、半球形状、及び湾曲形状のいずれか１つを有するように形成されている、請求項１又は２に記載の超音波先端具。
【請求項４】
インプラント周囲炎の治療のための超音波システムであって、
請求項１〜３のいずれか１項に記載の超音波先端具と、
超音波器具であって、前記超音波先端具が当該超音波器具に機械的につながっているときに前記超音波先端具に超音波振動を伝えることができる超音波器具と、を備えた
超音波システム。
【請求項５】
前記超音波器具につなげられ、前記超音波先端具の超音波振動を発生させるように２０ｋＨｚから４０ｋＨｚの範囲内の超音波駆動信号を前記超音波器具に供給する超音波発生器をさらに備えた、請求項４に記載の超音波システム。
【国際調査報告】
2017532175.tif 000016
2017532175.tif 000017
2017532175.tif 000018
2017532175.tif 000019
2017532175.tif 000020